(57)【要約】【課題】ＧＰＳの機能とジャイロセンサや加速度センサなどを使用し、適切な撮影場所をスムーズに特定できる機能を付けて、使い勝手を向上させた画像記憶処理装置を得る。【解決手段】画像記憶処理装置の傾きを検出する機能と、傾きから角度を特定する機能と、画像記憶処理装置の緯度と経度を検出する機能と、画像記憶処理装置の傾きと経度および緯度情報から決められた撮影個所を特定する機能を有する。撮影個所で音声または画像を出力するようにしてもよい。傾き角度やＧＰＳによる高度、経度、緯度などから画像パラメータを変更する機能を有していてもよい。【選択図】図１
2007025483.tif 000002
【特許請求の範囲】
【請求項１】
画像記憶処理装置において、画像記憶処理装置の傾きを検出する機能と、傾きから角度を特定する機能と、画像記憶処理装置の緯度と経度を検出する機能と、画像記憶処理装置の傾きと経度および緯度情報から決められた撮影個所を特定する機能を有することを特徴とする画像記憶処理装置。
【請求項２】
画像記憶処理装置において、画像記憶処理装置の傾きを検出する機能と、傾きから角度を特定する機能と、画像記憶処理装置の緯度と経度を検出する機能と、画像記憶処理装置の傾きと経度および緯度情報からきめられた撮影個所を特定する機能と、音声を出力する機能を有し、撮影個所で音声を出力することを特徴とする画像記憶処理装置。
【請求項３】
画像記憶処理装置において、画像記憶処理装置の傾きを検出する機能と、傾きから角度を特定する機能と、画像記憶処理装置の緯度と経度を検出する機能と、画像記憶処理装置の傾きと経度および緯度情報からきめられた撮影個所を特定する機能と、画像を出力する機能を有し、撮影個所で画像を出力することを特徴とする画像記憶処理装置。
【請求項４】
画像記憶処理装置において、画像記憶処理装置の傾きを検出する機能と、傾きから角度を特定する機能と、画像記憶処理装置の緯度と経度を検出する機能と、画像記憶処理装置の傾きと経度および緯度情報から撮影個所を特定する機能を有し、この撮影個所を特定する機能から撮影された個所を特定することを特徴とする画像記憶処理装置。
【請求項５】
画像記憶処理装置において、画像記憶処理装置の傾きを検出する機能と、傾きから角度を特定する機能と、画像記憶処理装置の緯度と経度を検出する機能と、画像記憶処理装置の傾きと経度および緯度情報のより撮影個所を特定する機能から撮影された個所を特定する機能と、音声を出力する機能を有し、撮影個所によって音声を出力することを特徴とする画像記憶処理装置。
【請求項６】
画像記憶処理装置において、画像記憶処理装置の傾きを検出する機能と、傾きから角度を特定する機能と、画像記憶処理装置の緯度と経度を検出する機能と、画像記憶処理装置の傾きと経度および緯度情報から撮影個所を特定する機能と、画像を出力する機能を有し、上記撮影個所を特定する機能で特定された撮影個所によって画像を出力することを特徴とする画像記憶処理装置。
【請求項７】
画像記憶処理装置において、画像記憶処理装置の傾きを検出する機能と、傾きから角度を特定する機能と、画像パラメータを変更する機能を有し、画像記憶処理装置の傾きから撮影パラメータを変更することを特徴とする画像記憶処理装置。
【請求項８】
画像記憶処理装置において、画像記憶処理装置の高度を検出する機能と、画像パラメータを変更する機能を有し、画像記憶処理装置の高度情報から撮影パラメータを変更することを特徴とする画像記憶処理装置。
【請求項９】
画像記憶処理装置において、緯度と経度を検出する機能と、画像パラメータを変更する機能を有し、画像記憶処理装置の経度および緯度情報から決められた撮影パラメータを変更することを特徴とする画像記憶処理装置。
【請求項１０】
画像記憶処理装置において、画像記憶処理装置の傾きを検出する機能と、傾きから角度を特定する機能と、画像記憶処理装置の緯度と経度を検出する機能と、画像パラメータを変更する機能を有し、画像記憶処理装置の傾きと経度および緯度情報から決められた撮影パラメータを変更することを特徴とする画像記憶処理装置。
【発明の詳細な説明】
【技術分野】
【０００１】
本発明は、デジタルカメラなどにおける画像記憶処理装置に関するものである。
【背景技術】
【０００２】
位置検出装置などを使用し、利用者が移動する環境においてその移動要素情報を、この環境の実写画像または実景画像に対して適切な位置に重ね合わせて表示し、利用者に対する情報提供を行うことが可能な携帯型端末装置などの画像記憶処理装置に関する技術が提案されている（例えば、特許文献１参照）。例えば、遺跡の見学者に、遺跡の実写画像とその場所の遺跡情報とを重ねて表示する、というような用途に使用することができる。  
【０００３】
しかし、特許文献１記載の発明は、カメラなどのユーザが画像とともにその画像に関連する情報を真に欲しているかどうかにかかわりなく情報が重ねて写し込まれるという難点がある。また、ユーザが画像を取得した後、その画像表示とともに何らかのガイドが表示されるとすれば、ユーザはガイド情報を取得できて便利であるが、このような機能は特許文献１記載の発明は有していない。  
【０００４】
また、映像信号を撮影し記録するに際して撮影シーンを示唆する付加情報を入力あるいは登録し、付加情報を映像信号と関連して記録し、かつ、撮影シーンを示唆する付加情報を複数登録可能にした発明がある（例えば、特許文献２参照）。  他の従来技術として、各シーン照明の等級における色温度変化の原因となるホワイトバランス補正のために、シーン照明を検出し、その差異を見分けて画像パラメータを変更する発明が知られている（例えば、特許文献３参照）。  
【０００５】
被写体及び撮影シーンを認識して、複数の撮影モードの中から最適な撮影モードを自動的に設定することによって、撮影者が特別な撮影知識を持たなくとも被写体やシーンにあった良好な写真を撮影することができる技術も提案されている（例えば、特許文献４参照）。少なくとも被写体が顔を含むたを認識する顔認識手段と被写体の状態を認識する手段を備え、両手段の出力情報に基づいてカメラの撮影モードを設定する、という技術である。  
【０００６】
また、本出願人の特許出願にかかる技術として、画像パラメータの一部であるホワイトバランスを、電子ズームでも適正に行うことができ、あるいは、撮影シーンごとに固定ホワイトバランスの設定を可能にするなど、情報によりホワイトバランスを変更する技術がある（例えば、特許文献５、特許文献６参照）。  
【０００７】
【特許文献１】特開２００４−１０２８３５号公報
【特許文献２】特開２００４−１０４５３４号公報
【特許文献３】特開２００４−００７５４５号公報
【特許文献４】特開２００３−３４４８９１号公報
【特許文献５】特開２００４−０８０１６７号公報
【特許文献６】特開２００４−０６４６７６号公報
【発明の開示】
【発明が解決しようとする課題】
【０００８】
上に説明した従来のカメラないしは画像記録処理装置、特に特許文献１記載の発明では、予め決められた場所を撮影する場合、撮影場所や撮影方向など事前に知っておく必要があり、知らない場所の特定や方向の特定などに予想以上に時間がかかることや場所を間違えることなどがあった。また、従来のＧＰＳ機能付きカメラではカメラのＧＰＳ機能を使用して大体の場所の特定ができても、方向までの特定などはできなかった。  
【０００９】
従来のカメラでは、被写体を撮影する場合、あらかじめ周りの明るさやカメラの設定などで決められた画像パラメータにより撮影されており、これらの画像パラメータを決める要因に方向や高度向きなどの要素は加味されていなかった。  
【００１０】
また、現在のカメラでは手ぶれ防止に使われているジャイロセンサや加速度センサ、ＧＰＳの機能により簡単にカメラの方向や高度などを把握することができるようになった。  
【００１１】
本発明は、以上のような従来技術に鑑みてなされたもので、ＧＰＳの機能とジャイロセンサや加速度センサなどを使用し、従来にくらべ適切な撮影場所をスムーズに特定できる機能が付くことにより、使い勝手を向上することができる画像記憶処理装置を提供することを目的とする。  
【００１２】
また、撮影した画像の方向や場所の情報から取得した画像が何であるかわかることにより、さらに使い勝手を向上させること可能な画像記憶処理装置を提供することを目的とする。  
【００１３】
さらに、従来の画像パラメータの決定要素にカメラの傾きや方向、高度を入れることにより、従来に比べ被写体に合った画像パラメータを変更することが可能な画像記憶処理装置を提供することを目的とする。
【課題を解決するための手段】
【００１４】
請求項１記載の発明は、画像記憶処理装置の傾きと経度および緯度情報から、決められた撮影個所を特定することを目的とする。
請求項２記載の発明は、特定した撮影個所で音声を出力することを特徴とする。
請求項３記載の発明は、特定した撮影個所で画像を出力することを特徴とする。
請求項４記載の発明は、撮影された個所を特定することを特徴とする。
請求項５記載の発明は、特定した撮影個所により音声を出力することを特徴とする。
請求項６記載の発明は、特定した撮影個所により画像を出力することを特徴とする。
請求項７記載の発明は、画像記憶処理装置の傾きから撮影パラメータを変更することを特徴とする。
請求項８記載の発明は、高度情報から撮影パラメータを変更することを特徴とする。
請求項９記載の発明は、画像記憶処理装置の経度および緯度情報からきめられた撮影パラメータを変更することを特徴とする。
請求項１０記載の発明は、画像記憶処理装置の傾きと経度および緯度情報から決められた撮影パラメータを変更することを特徴とする。
【発明の効果】
【００１５】
請求項１記載の発明によれば、画像記憶処理装置の傾きと経度および緯度情報からきめられた撮影個所を特定することで、撮影個所が分からないユーザの利便性を向上させる効果がある。例えば、ある一定以上角度を付けた場合、太陽に向けている可能性があると判断して画像パラメータを変更し、あるいは、高度によって適切な色合いになる画像パラメータを変更することができる。  
【００１６】
請求項２記載の発明によれば、特定した撮影個所で音声を出力することで、撮影個所が分からないユーザの利便性を向上させる効果がある。  請求項３記載の発明によれば、特定した撮影個所で画像を出力することで、撮影個所が分からないユーザの利便性を向上させる効果がある。  請求項４記載の発明によれば、撮影された個所を特定することで、撮影した場所や物が分からないユーザの利便性を向上させる効果がある。  
【００１７】
請求項５記載の発明によれば、特定した撮影個所により音声を出力することで、撮影した場所や物が分からないユーザの利便性を向上させる効果がある。  請求項６記載の発明によれば、特定した撮影個所により画像を出力することで、撮影した場所や物が分からないユーザの利便性を向上させる効果がある。  
【００１８】
請求項７記載の発明によれば、画像記憶処理装置の傾によって撮影パラメータを最適な画像パラメータに変更させることにより、ユーザの利便性を向上させる効果がある。  請求項８記載の発明によれば、高度情報よって撮影パラメータを最適な画像パラメータに変更させることにより、ユーザの利便性を向上させる効果がある。  請求項９記載の発明によれば、画像記憶処理装置の経度および緯度情報よって撮影パラメータを最適な画像パラメータに変更させることができ、ユーザの利便性を向上させる効果がある。  請求項１０記載の発明によれば、画像記憶処理装置の傾きと経度および緯度情報よって撮影パラメータを最適な画像パラメータに変更させることにより、ユーザの利便性を向上させる効果がある。
【発明を実施するための最良の形態】
【００１９】
以下、本発明にかかる画像記憶処理装置の実施例に関し図面を参照しながら説明する。各図において、同じ部材や同じ処理に関しては、極力、同じ番号を付けている。図１〜図３は、本発明の撮像装置の一例であるデジタルカメラの外観を示す上面図、正面図、背面図である。また、図４は、本発明の撮像装置の一例であるデジタルカメラの信号処理系統の例を示すブロック図である。
【００２０】
図１〜図４を参照しながら、本発明にかかる画像記憶処理装置の一例であるデジタルカメラにつき、その構成とともに動作を説明する。図１〜図４において、鏡胴ユニット（７）は、被写体の光学画像を取り込むズームレンズ（７−１ａ）、ズーム駆動モータ（７−１ｂ）からなるズーム光学系（７−１）と、フォーカスレンズ（７−２ａ）、フォーカス駆動モータ（７−２ｂ）からなるフォーカス光学系（７−２）と、絞り（７−３ａ）、絞りモータ（７−３ｂ）からなる絞りユニット（７−３）と、メカシャッタ（７−４ａ）、メカシャッタモータ（７−４ｂ）からなるメカシャッタユニット（７−４）と、各モータを駆動するモータドライバ（７−５）を有してなる。モータドライバ（７−５）は、リモコン受光部（６）からの入力や、操作部キーユニット（ＳＷ１〜ＳＷ１３）の操作入力に基づき、後述するディジタルスチルカメラプロセッサ（１０４）内にあるＣＰＵブロック（１０４−３）からの駆動指令により駆動制御される。
【００２１】
ＲＯＭ（１０８）には、ＣＰＵブロック（１０４−３）にて解読可能なコードで記述された、制御プログラムや制御するためのパラメータが格納されている。このデジタルカメラの電源がオン状態になると、上記プログラムは図示されないメインメモリにロードされ、前記ＣＰＵブロック（１０４−３）はそのプログラムに従って装置各部の動作を制御するとともに、制御に必要なデータ等を、一時的に、ＲＡＭ（１０７）、及び後述するディジタルスチルカメラプロセッサ（１０４）内にあるＬｏｃａｌＳＲＡＭ（１０４−４）に保存する。ＲＯＭ（１０８）に書き換え可能なフラッシュＲＯＭを使用することで、制御プログラムや制御するためのパラメータを変更することが可能となり、機能のバージョンアップを容易に行うことができる。  
【００２２】
ＣＣＤ（１０１）は、光学画像を光電変換するための固体撮像素子である。Ｆ／Ｅ（フロントエンド）−ＩＣ（１０２）は、画像ノイズ除去用相関二重サンプリングを行うＣＤＳ（１０２−１）、利得調整を行うＡＧＣ（１０２−２）、デジタル信号変換を行うＡ／Ｄ（１０２−３）、ＣＣＤ１制御ブロック（１０４−１）より垂直同期信号（以下、「ＶＤ」と記す）と水平同期信号（以下「ＨＤ」と記す。）が供給され、ＣＰＵブロック（１０４−３）によって制御されるＣＣＤ（１０１）及びＦ／Ｅ−ＩＣ（１０２）の駆動タイミング信号を発生するＴＧ（タイミング・ジェネレータ）（１０２−４）を有する。  
【００２３】
ディジタルスチルカメラプロセッサ（１０４）は、ＣＣＤ（１０１）よりＦ／Ｅ―ＩＣ（１０２）の出力データにホワイトバランス設定やガンマ設定を行い、また、前述したように、ＶＤ信号、ＨＤ信号を供給するＣＣＤ１制御ブロック（１０４−１）、フィルタリング処理により輝度データ・色差データへの変換を行うＣＣＤ２制御ブロック（１０４−２）、前述した装置各部の動作を制御するＣＰＵブロック（１０４−３）、前述した制御に必要なデータ等を一時的に保存するＬｏｃａｌＳＲＡＭ（１０４−４）、パソコンなどの外部機器とＵＳＢ通信を行うＵＳＢブロック（１０４−５）、パソコンなどの外部機器とシリアル通信を行うシリアルブロック（１０４−６）、ＪＰＥＧ圧縮・伸張を行うＪＰＥＧＣＯＤＥＣブロック（１０４−７）、画像データのサイズを補間処理により拡大／縮小するＲＥＳＩＺＥブロック（１０４−８）、画像データを液晶モニタやＴＶなどの外部表示機器に表示するためのビデオ信号に変換するＴＶ信号表示ブロック（１０４−９）、撮影された画像データを記録するメモリカードや汎用のＰＣＭＣＩＡやＣＦ及びＳＤに対応しているＧＰＳカードなどの制御を行うメモリカードブロック（１０４−１０）を有する。  
【００２４】
ＳＤＲＡＭ（１０３）は、前述したディジタルスチルカメラプロセッサ（１０４）で画像データに各種処理を施す際に、画像データを一時的に保存する。保存される画像データは、例えば、ＣＣＤ（１０１）から、Ｆ／Ｅ−ＩＣ（１０２）を経由して取り込んで、ＣＣＤ１信号処理ブロック（１０４−１）でホワイトバランス設定、ガンマ設定が行われた状態の「ＲＡＷ−ＲＧＢ画像データ」やＣＣＤ２制御ブロック（１０４−２）で輝度データ・色差データ変換が行われた状態の「ＹＵＶ画像データ」、ＪＰＥＧＣＯＤＥＣブロック（１０４−７）で、ＪＰＥＧ圧縮された「ＪＰＥＧ画像データ」などである。  
【００２５】
メモリカードスロット（１２１）は、着脱可能なメモリカードや位置センサとしてのＧＰＳ（全地球測位システム）カードなどを装着するためのスロットである。内蔵メモリ（１２０）は、前述したメモリカードスロット（１２１）にメモリカードが装着されていない場合でも、撮影した画像データを記憶できるようにするためのメモリである。  
【００２６】
ＬＣＤドライバ（１１７）は、後述するＬＣＤモニタ（１０）に駆動するドライブ回路であり、ＴＶ信号表示ブロック（１０４−９）から出力されたビデオ信号を、ＬＣＤモニタ（１０）に表示するための信号に変換する機能も有している。ＬＣＤモニタ（１０）は、撮影前の被写体の状態監視、撮影した画像も確認、メモリカードや前述した内臓メモリ（１２０）に記録した画像データの表示などを行うためのモニタである。  
【００２７】
ビデオＡＭＰ（１１８）は、ＴＶ信号表示ブロック（１０４−９）から出力されたビデオ信号を、７５Ωインピーダンス変換するためのアンプであり、ビデオジャック（１１９）は、ＴＶなどの外部表示機器と接続するためのジャックである。ＵＳＢコネクタ（１２２）は、パソコンなどの外部機器とＵＳＢ接続を行う為のコネクタである。  
【００２８】
シリアルドライバ回路（１２３−１）は、パソコンなどの外部機器とシリアル通信を行うために、前述したシリアルブロック（１０４−６）の出力信号を電圧変換するための回路であり、ＲＳ−２３２Ｃコネクタは、パソコンなどの外部機器とシリアル接続を行う為のコネクタである。  
【００２９】
ＳＵＢ−ＣＰＵ（１０９）は、ＲＯＭ・ＲＡＭをワンチップに内蔵したＣＰＵであり、操作キーユニット（ＳＷ１〜１３）やリモコン受光部（６）の出力信号をユーザの操作情報として、前述したＣＰＵブロック（１０４−３）に出力し、また、前述したＣＰＵブロック（１０４−３）より出力されるカメラの状態を、後述するサブＬＣＤ（１）、ＡＦＬＥＤ（８）、ストロボＬＥＤ（９），ブザー（１１３）の制御信号に変換して、出力するものである。  
【００３０】
サブＬＣＤ（１）は、例えば、撮影可能枚数など表示するための表示部であり、ＬＣＤドライバ（１１１）は、前述したＳＵＢ−ＣＰＵ（１０９）の出力信号より、前述したサブＬＣＤ（１）を駆動するためのドライブ回路である。  
【００３１】
ＡＦ  ＬＥＤ（８）は、撮影時の合焦状態を表示するためのＬＥＤであり、ストロボＬＥＤ（９）は、ストロボ充電状態を表すためのＬＥＤである。なお、このＡＦ  ＬＥＤ（８）とストロボＬＥＤ（９）を、メモリカードアクセス中などの別の表示用途に使用しても良い。  
【００３２】
操作キーユニット（ＳＷ１〜１３）は、ユーザが操作するキー回路であり、リモコン受光部（６）は、ユーザが操作したリモコン送信機の信号の受信部である。  
【００３３】
音声記録ユニット（１１５）は、ユーザが音声信号を入力するマイク（１１５−３）、入力された音声信号を増幅するマイクＡＭＰ（１１５−２）、増幅された音声信号を記録する音声記録回路（１１５―３）からなる。音声再生ユニット（１１６）は、記録された音声信号をスピーカから出力できる信号に変換する音声再生回路（１１６−１）、変換された音声信号を増幅し、スピーカを駆動するためのオーディオＡＭＰ（１１６−２）、音声信号を出力するスピーカー（１１６−３）からなる。  
【００３４】
方向センサユニット（２１７）は、センサから出力されるアナログ信号をデジタル信号に変換するＡ／Ｄ変換回路（２１７−１）と方向や加速度などを出力するセンサ部（２１７−２）からなる。センサ部（２１７−２）としては、ジャイロセンサや加速度センサなどを用いることができる。  
【００３５】
次に、図５以下に示すフローチャートを参照しながら、本発明にかかる画像記憶処理装置の各種実施例について説明する。なお、各フローチャートにおいて、各動作ステップをＳ１，Ｓ２，・・・のように表す。
【実施例１】
【００３６】
まず、ユ−ザ−が撮影する場合、カメラの操作キー（ＳＷ１〜ＳＷ１３）より電源ＳＷを入れる（Ｓ１）。本実施例では、電源ＳＷを入れると、方向センサユニット（２１７）より定期的に装置の加速度情報が出力され、その情報を（１０４）のディジタルスチルカメラプロセッサで分析し、装置の移動方向や向きをリアルタイムで測定する。また、メモリカードスロット（１２１）に接続されたＧＰＳカードにより緯度と経度を取得する。そして撮影位置検索モードかどうかの判断ステップ（Ｓ２）でカメラの操作キーを検出し、通常撮影モードに設定されている場合は，ＣＣＤ（１０１）から出力される映像信号をＦ／Ｅ−ＩＣ（１０２）とデジタルプロセッサ（１０４）で処理してＬＣＤモニタ（１０）に出力し、通常撮影モードによる撮影を可能にする（Ｓ３）。  
【００３７】
上記ステップＳ２で、撮影位置検索モードであると判断した場合は、マイクロプロセッサで加速度の情報とＧＰＳカードによる緯度および経度情報から現在のカメラの向きすなわち撮影方向と位置を検出し（Ｓ５）、読み込まれた緯度および経度データがあらかじめ内蔵装置（１２０）やメモリカードに入っているデータと同じかどうかをリアルタイムで確認する（Ｓ６）とともに、データが同じになるのを待つ。データが同じになると次にレリーズキーが押されたどうか判断するとともに（Ｓ７）、レリーズキーが押されるのを待つ。レリーズキーが半押しされるとレリーズキーが押されたと判断し、各種設定を確認し（Ｓ８）、音声モード映像モードであるかどうかの判断ステップ（Ｓ９）に進む。  
【００３８】
ユーザがカメラを移動し、または撮影方向を変化させて、記憶装置に登録されている情報と同じになった場合で、レリーズキーを半押ししてフォーカスを合わせると（Ｓ７）、設定を確認して（Ｓ８）、音声モード映像モードであるかを確認する（Ｓ９）。音声モード映像モードである場合は記憶装置から音声データと映像データを読み出し（Ｓ１０）、マイクロプロセッサから音声再生回路（１１６-１）に音声データを転送するなどの処理を行ない（Ｓ１１）、音声と映像を出力し（Ｓ１２）、スピーカから効果音を出しユーザに知らせるとともに、ディスプレイに映像を表示する。上記効果音は、本実施例の場合ビップ音であるが、記憶装置に記憶されている音声生データやミュージックなど、ユーザを聴覚的に認識させる任意の音源を使用してもよい。  
【００３９】
また、撮影位置検索モードで映像に設定されていると（Ｓ２のＹＥＳ）、マイクロプロセッサで加速度の情報とＧＰＳカードによる緯度と経度情報から現在のカメラの向きすなわち撮影方向と位置を検出し（Ｓ４，Ｓ５）、その情報があらかじめ内蔵装置（１２０）やメモリカードに入っている情報と同じかをリアルタイムで確認する（Ｓ６）。ユーザがカメラを移動し、また、撮影方向を変化させて記憶装置に登録されている情報と同じになった場合、レリーズキーを半押ししてフォーカスを合わせると（Ｓ７）、設定を確認して（Ｓ８）、音声モード映像モードであるかを確認する（Ｓ９）。設定モードは映像であるからステップＳ９での判断はＮＯであり、次に音声モードかどうかの判断ステップ（Ｓ１３）に進む。この判断ステップでもＮＯであるから次の音声映像データ読み込みステップ（Ｓ１７）に進み、マイクロプロセッサによる処理ステップ（Ｓ１８）で映像データの転送などの処理を行ない、ディスプレイなどに映像を出力する（Ｓ１９）。より具体的には、マイクロプロセッサのＴＶ信号表示ブロック図からＬＣＤモニタ（１０）やビデオジャック（１１９）に映像信号を送り、ユーザに知らせる。  
【００４０】
本実施例ではＯＳＤ表示のようにＣＣＤから入力されて表示している映像に重ねる形式になっているが、ＯＳＤに表示するフォントとフォーマットを変え、あるいは画面全体を赤にするなどして画面表示を変えるなど、ユーザを視覚的に認識させる手段であってもよい。設定によっては上記の方法で音声と映像を両方出力しユーザを視覚的および聴覚的に認識させるモードもある。  
【００４１】
上記音声モードの判断ステップ（Ｓ１３）で音声モードと判断された場合は、音声映像データを読み込み（Ｓ１４）、マイクロプロセッサによる処理ステップ（Ｓ１８）で音声データの転送などの処理を行ない、スピーカから効果音を出しユーザに知らせる。この効果音は、本実施例の場合前述のようにビップ音であるが、記憶装置に記憶されている音声生データやミュージックデータなど、ユーザを聴覚的に認識させる任意の音源を使用してもよい。  
【００４２】
上記実施例では、カメラの細かい方向傾き検出に加速度センサを使用し、地理上の絶対位置情報取得にＧＰＳを使用しているが、これら加速度セン
サやＧＰＳ以外の公知の検出手段を用いてもよい。例えば、要素情報の取得に関しては、環境中の各地点に要素に対応して要素情報発信装置を設置しておき、利用者が要素に近づいたとき、携帯端末装置で要素情報発信装置からの発信信号を受信させて要素情報を取得させるようにしてもよい。
【実施例２】
【００４３】
次に、図６に示す実施例２について説明する。図６において、ステップＳ２１からステップＳ２６までは、図５に示す実施例１のステップＳ１からステップＳ６までと同じである。ステップＳ２６でレリーズが半押しされるのを待ち、半押しされると次のプロセッサによる画像処理ステップ（Ｓ２７）に進み、ＣＣＤ（１０１）から出力される映像信号をＦ／Ｅ−ＩＣ（１０２）とデジタルプロセッサ（１０４）で画像処理を行う。また、メモリカードスロット（１２１）に接続されたＧＰＳカードにより緯度および経度を取得する。この緯度および経度データと、カメラの動きを検出する加速度センサによる加速度データ、そしてカメラの方向（傾き）などのデータを、上記画像処理された画像データとともに記録する（Ｓ２８）。この画像データは、ＣＣＤ（１０１）からの映像信号を源とするもので、図４に示すディジタルカメラプロセッサのＣＣＤ２信号処理ブロック（１０４−２）において、フィルタリング処理により、輝度データ・色差データへの変換を行い、ＪＰＥＧ圧縮してメモリカードや内蔵メモリ（１２０）に記録される（Ｓ２８）。  
【００４４】
このようにして各データを記録した後、その記憶した経度および緯度データ、そしてカメラの方向（傾き）データが、内蔵装置（１２０）やメモリカードに入っている情報と同じかどうかを判断するとともに、データが同じになるのを待つ（Ｓ２９）。データが同じになると、設定確認ステップ（Ｓ３０）に進み、設定されているモードを確認する。設定モードが音声および映像モードかどうかの判断ステップ（Ｓ３１）で音声および映像モードであると判断されると、実施例１の場合と同様に、記憶装置から音声データと映像データを読み出し（Ｓ３２）、マイクロプロセッサから音声再生回路（１１６-１）に音声データを転送するなどの処理を行ない（Ｓ３３）、音声と映像を出力し（Ｓ３４）、スピーカから効果音を出しユーザに知らせるとともに、マイクロプロセッサのＴＶ信号表示ブロックからＬＣＤモニタ（１０）やビデオジャック（１１９）に映像信号を送りユーザに知らせる。上記効果音は、例えば、「撮影した場所は、東京都葛飾区柴又帝釈天です。」など、登録されている音声データに基づくものであっても良く、これによって、撮影した場所や、撮影対象が何かなどをユーザに知らせることができる。  
【００４５】
音声モードの場合はステップＳ３５〜Ｓ３８の動作によって音声を出力する。映像モードの場合はステップＳ３９〜Ｓ４１の動作によって映像を出力する。音声出力モードと映像出力モードの動作は、図５に示す実施例における動作ステップＳ１３〜Ｓ１６およびＳ１７〜Ｓ１９の動作と同じである。  
【００４６】
実施例２では、画像フォーマット（ＥＸＩＦ）の一部の空き領域にデータを入れているが、記憶した後から撮影したときの経度、緯度、方向（傾き）が分かる方法であれば、記憶方法については限定されない。また、上記実施例では、音声の圧縮した生データでユーザに聴覚的に撮影場所を認識させるようになっているが、予め決まった効果音など、特定できるような視覚的、聴覚的な出力手段であればよい。
【実施例３】
【００４７】
図７から図１０に示す実施例３から実施例６までは、画像記憶処理装置の傾き、高度情報、経度および緯度情報などの各種条件によって撮影パラメータを変更するようにした実施例である。まず、図７に示す実施例３を説明する。図７において、ユ−ザは、カメラの操作キー（ＳＷ１〜ＳＷ１３）を操作して電源スイッチを入れる（Ｓ５１）。電源スイッチを入れると、センサ（１１７）より定期的に装置の加速度情報が出力され、その情報をディジタルスチルカメラプロセッサ（１０４）で分析し、装置の移動方向や向きをリアルタイムで測定する。同時に、撮影位置検索モードかどうかを判断し（Ｓ５２）、撮影位置検索モードでなければ通常撮影モード（Ｓ５３）で撮影を行う。撮影位置検索モードであれば、角度センサの検出出力から角度などを読み込み（Ｓ５４）、この角度データが記憶装置に保存されている多くのデータの中の一つのデータと同じかどうかをリアルタイムで判断する（Ｓ５５）。同じデータがあれば、マイクロプロセッサからの命令によって内部の画像処理のパラメータを変更する（Ｓ５６）。
【実施例４】
【００４８】
図８は実施例４を示すフローチャートである。この実施例は画像パラメータを変更するための元になる検出データが、ＧＰＳカードから読み取られる高度読み取りデータである点で実施例３と異なっており、その他は実施例３と同じである。ステップＳ６１からＳ６６まであって、これらのステップＳ６１からＳ６６までは実施例３のステップＳ５１からＳ５６に対応している。このうち、ステップＳ６４が「ＧＰＳカードより高度読み込み」ステップで、読み込まれた高度データが記憶装置に記憶されている高度データと同じかを判定する（Ｓ６５）。判定の結果同じデータがあれば、マイクロプロセッサからの命令によって内部の画像処理のパラメータを変更する（Ｓ６６）。
【実施例５】
【００４９】
図９は実施例５を示すフローチャートである。この実施例は画像パラメータを変更するための元になる検出データが、ＧＰＳカードから読み取られる経度および緯度読み取りデータである点で実施例３、４と異なっており、その他は実施例３、４と同じである。ステップＳ７１からＳ７６まであって、これらのステップＳ７１からＳ７６までは実施例３のステップＳ５１からＳ５６に対応している。このうち、ステップＳ７４が「ＧＰＳカードより経度、緯度読み込み」ステップで、読み込まれた経度、緯度データが記憶装置に記憶されている経度、緯度データと同じかを判定する（Ｓ７５）。判定の結果同じデータがあれば、マイクロプロセッサからの命令によって内部の画像処理のパラメータを変更する（Ｓ７６）。
【実施例６】
【００５０】
図１０は実施例６を示すフローチャートである。この実施例は画像パラメータを変更するための元になる検出データが、角度センサからの角度などの読み込みデータと、ＧＰＳカードから読み込まれる経度および緯度データである点で実施例３、４、５と異なっている。ステップＳ８１からＳ８３までは実施例３、４、５と同じである。ステップＳ８４で角度センサから角度などの読み込みを行い、ステップＳ８５でＧＰＳカードから経度、緯度の読み込を行う。次に、ステップＳ８６で、これら角度データ、経度および緯度データが、記憶装置に記憶されている角度データと、経度および緯度データと同じどうかを判定し、判定の結果同じデータがあれば、マイクロプロセッサからの命令によって内部の画像処理のパラメータを変更する（Ｓ８６）。  
【００５１】
上記各実施例では、カメラの方向と角度、ＧＰＳカードからの経度、緯度、高度などの条件で撮影パラメータを変更するように構成されているが、これらの像権を含めた他の全ての条件でも、あるいはカメラの方向のみでも、設定により選択することができるようにするとよい。  
【００５２】
本発明の各実施例中の画像処理を変更するパラメータとは、特許文献４に記載されている各シーンモード、および特許文献５と特許文献６に記載されているホワイトバランスのことである。これらのパラメータの変更とは、画像を記憶する際と撮影する際にその画像に対して行う処理のことであり、どちらか一方に限定されるものではない。  
【００５３】
上記各実施例では、カメラの細かい方向および傾き検出位置に加速度センサを使用し、地理上の絶対位置情報にＧＰＳを使用しているが、加速度センサ以外の方向および傾き検出手段、ＧＰＳ以外の位置情報の取得手段を用いてもよい。例えば、要素情報の取得に関しては、環境中の各地点に要素に対応して要素情報発信装置を設置しておき、利用者が要素に近づいたとき、携帯端末装置で要素情報発信装置からの発信信号を受信させて要素情報を取得させるようにしてもよい。
【図面の簡単な説明】
【００５４】
【図１】本発明にかかる画像記憶処理装置の例であるデジタルカメラの例を示す上面図である。
【図２】上記デジタルカメラの正面図である。
【図３】上記デジタルカメラの背面図である。
【図４】本発明に適用可能な信号処理系統の例を示すブロック図である。
【図５】本発明の実施例１を示すフローチャートである。
【図６】本発明の実施例２を示すフローチャートである。
【図７】本発明の実施例３を示すフローチャートである。
【図８】本発明の実施例４を示すフローチャートである。
【図９】本発明の実施例５を示すフローチャートである。
【図１０】本発明の実施例６を示すフローチャートである。
【符号の説明】
【００５５】
１    サブＬＣＤ
７    鏡胴ユニット
１０    ＬＣＤモニタ
４０    メモリカード
１０１    ＣＣＤ
１０４    ディジタルスチルカメラプロセッサ
１１５    音声記録ユニット
１１６    音声再生ユニット
２１７    方向センサユニット
【図１】
2007025483.tif 000003
【図２】
2007025483.tif 000004
【図３】
2007025483.tif 000005
【図４】
2007025483.tif 000006
【図５】
2007025483.tif 000007
【図６】
2007025483.tif 000008
【図７】
2007025483.tif 000009
【図８】
2007025483.tif 000010
【図９】
2007025483.tif 000011
【図１０】
2007025483.tif 000012